(57)【要約】【課題】従来のロ−クロップ装置は、前部左右の分草杆と、左右一対の搬送ラグベルトと、刈取装置と、ゲ−ジホイルとを一体としてコンバインの機枠に着脱できる構成にはなっておらず、メンテナンスが困難で、点検、修理、清掃等が簡単にできない課題があった。【解決手段】本発明は、前部左右の分草杆１、１の間に、側面視傾斜状に架設した左右一対の搬送ラグベルト２、２と、該搬送ラグベルト２、２の支持フレ−ム７に、刈取装置９と、ゲ−ジホイル１０とを一体に枠組みしてロ−クロップ装置１１を構成した。該ロ−クロップ装置１１は、掻込みオ−ガ１２を横軸で軸装したテ−ブル１３の前部に、搬送ラグベルト２、２の入力軸３の下側にある取付部材１４を介して着脱自由に取り付けて構成した汎用コンバインのロ−クロップ装置としている。【選択図】　　　　図１
2004113064.tif 000002
【特許請求の範囲】
【請求項１】
前部低位置にある左右の分草杆１、１の間に、側面視傾斜状に架設した左右一対の搬送ラグベルト２、２は、後方の下部位置に横向きに軸架された入力軸３に、搬送通路４を挾んで伝動可能に接続された縦方向の左右の伝動軸５、５の駆動プ−リ６、６に巻回して設け、前記搬送ラグベルト２、２を支持する支持フレ−ム７には、その下側に縦軸８で軸装した刈取装置９と、これらを支えるゲ−ジホイル１０とを一体に枠組みしてロ−クロップ装置１１を構成し、該ロ−クロップ装置１１は、上面に掻込みオ−ガ１２を横軸で軸装したテ−ブル１３の前部に、前記入力軸３の下側に配置した取付部材１４を着脱自由に取り付けて構成した汎用コンバインのロ−クロップ装置。
【請求項２】
ロ−クロップ装置１１は、上面に掻込みオ−ガ１２を軸装したテ−ブル１３の前部に、横方向に複数条を配列して設け、前記ロ−クロップ装置１１は、前記テ−ブル１３に対して各条ごとに着脱自由に取り付けできる構成とした請求項１記載の汎用コンバインのロ−クロップ装置。
【発明の詳細な説明】
【０００１】
【発明の属する技術分野】
本発明は、汎用コンバインのロ−クロップ装置に関し、農業機械の技術分野に属する。
【０００２】
【従来の技術】
従来から汎用コンバインは、稲、麦に限らず大豆、そば等の穀類の刈取、脱穀作業ができるように構成されており、脱穀装置は全稈投入式を搭載している。そして、刈取前処理装置は、稲、麦の収穫作業では、前部の上方位置に掻込みリ−ルが軸架され、その下方位置に刈取幅の広い刈取装置が設けられ、その後方位置に、前記刈取装置の刈幅と略同等の幅を有する掻込みオ−ガが横軸に支持して設けられ、該掻込みオ−ガの一側後部に搬送コンベヤからなるエレベ−タが装備されていた。
【０００３】
又、大豆、そば等の丈の低い茎稈を収穫する汎用コンバインにあっては、刈取前処理装置は、掻込みリ−ルを必要とせず（外して）、通常、刈取装置の前方低位置から上方にかけて左右一対のラグベルトからなるロ−クロップ装置を設けて比較的丈の低い茎稈を両側から係止して、挟持状態にしながら搬送して刈取、収穫する構成になっている（例えば、特許文献１参照。）。
【０００４】
【特許文献１】
実開昭６１−７２１４０号公報（第１、乃至３頁、第１、乃至３図）
【０００５】
【発明が解決しようとする課題】
上述した従来のコンバインにおけるロ−クロップ装置は、前部左右の分草杆と、左右一対の搬送ラグベルトと、刈取装置と、ゲ−ジホイルとを一体としてコンバインの前部機枠から着脱できる構成にはなっていない。又、ロ−クロップ装置は、複数条のものが各条ごとに取外しができない構成にもなっていないから、作業の途中、或いは終了後のメンテナンスが困難で、点検、修理、清掃等が簡単にできない課題がある。
【０００６】
【課題を解決するための手段】
本発明は、上述した課題を解決するために、次の如き技術手段を講ずるものである。まず、請求項１の発明は、前部低位置にある左右の分草杆１、１の間に、側面視傾斜状に架設した左右一対の搬送ラグベルト２、２は、後方の下部位置に横向きに軸架された入力軸３に、搬送通路４を挾んで伝動可能に接続された縦方向の左右の伝動軸５、５の駆動プ−リ６、６に巻回して設け、前記搬送ラグベルト２、２を支持する支持フレ−ム７には、その下側に縦軸８で軸装した刈取装置９と、これらを支えるゲ−ジホイル１０とを一体に枠組みしてロ−クロップ装置１１を構成し、該ロ−クロップ装置１１は、上面に掻込みオ−ガ１２を横軸で軸装したテ−ブル１３の前部に、前記入力軸３の下側に配置した取付部材１４を着脱自由に取り付けて構成した汎用コンバインのロ−クロップ装置であるから、ロ−クロップ装置は、テ−ブルの前部に取付ねじによって比較的簡単に着脱操作ができるものとなっている。
【０００７】
つぎに、請求項２の発明は、ロ−クロップ装置１１は、上面に掻込みオ−ガ１２を軸装したテ−ブル１３の前部に、横方向に複数条を配列して設け、前記ロ−クロップ装置１１は、前記テ−ブル１３に対して各条ごとに着脱自由に取り付けできる構成とした請求項１記載の汎用コンバインのロ−クロップ装置であるから、ロ−クロップ装置は、テ−ブルの前部に複数条を横に配列して取り付けた構成であるが、本案の場合、各条ごとに着脱ができる点に特徴がある。
【０００８】
【発明の効果】
まず、請求項１の発明は、汎用コンバインの前部低位置にあるテ−ブルに対してロ−クロップ装置を着脱自由に取り付けできるからメンテナンスを容易に行なうことができる特徴がある。実施例の場合、ロ−クロップ装置は、入力軸とこれに接続している伝動軸とを一体にして取外し、コンバイン車体側に伝動チエンを残して分離できる点にも特徴があり、取外し側が、比較的軽く着脱作業がやり易い利点がある。これによって本案は、ロ−クロップ装置側と、併せてテ−ブル側の掻込みオ−ガのメンテナンスも簡単にできる効果がある。
【０００９】
そして、請求項２の発明は、テ−ブルの前部に複数条のロ−クロップ装置を横に配列して取り付けた構成において、各条を別々に取外し可能に構成しているから、メンテナンスを要する条列を考慮しながら条ごとに着脱作業ができるものであって、着脱、及びメンテナンスを合わせた作業効率を一層高めることができる優れた特徴がある。
【００１０】
【発明の実施の形態】
以下、本発明の実施の形態を図面に基づいて具体的に説明する。
まず、ロ−クロップ装置１１は、図１、図５、及び図６に示すように、前部低位置にある左右の分草杆１、１と、その内側後部に搬送始端部を臨ませ終端部を後方上部に位置させた左右一対の搬送ラグベルト２、２と、その下側で縦軸８に軸装した円盤刈刃９（「刈取装置９」に相当する。以下同じ）と、これらを支えるゲ−ジホイル１０とを一体に枠組みして一条を構成している。上記各図は、２条のロ−クロップ装置１１を併設した実施例を示している。
【００１１】
そして、搬送ラグベルト２、２は、図面に示すように、所定間隔ごとに搬送ラグ１５を装着し、左右から各搬送ラグ１５を互いに内側に向けて対向させて配置し、茎稈を係止して搬送可能に巻回しているが、その配置において、図面から解るように、各搬送ラグ１５に搬送方向（機体後方）に対して後退角（図１参照）を持たせて構成している。
【００１２】
そして、入力軸３は、図４に示すように、一端に入力スプロケット１６を軸着しており、他端部には接続可能にジョイント部１７ａを設け、中間部には茎稈を搬送する間隔を隔てた通路（搬送通路）４を挾んで両側に縦方向の伝動軸５、５を伝動可能に接続して構成している。そして、上記入力軸３は、軸カバ−１８で覆って構成し、一方の伝動軸５、５も下部を軸カバ−１８に固着した支持筒１９で覆って構成している。そして、隣に追加（２条目）するロ−クロップ装置１１の入力軸３は、図４に示すように、上述した入力スプロケット１６に相当する部位に、前記ジョイント部１７ａに係合するジョイント部１７ｂを設け、複数条のロ−クロップ装置１１を連結できる構成としている。
【００１３】
そして、左右一対の搬送ラグベルト２、２は、図４、及び図６に示すように、搬送終端部側において、上記伝動軸５、５の上部に軸着している駆動プ−リ６、６に巻回し、搬送始端部側を、支持フレ−ム７の先端部に軸架した遊動プ−リ２０に巻回して側面視傾斜状に架設して構成している。そして、実施例の場合、上記搬送ラグベルト２、２は、図４、及び図６から解るように、上下２段に設け、搬送茎稈の上下２か所を係合しながら搬送する構成としている。
【００１４】
そして、円盤刈刃９は、図５、及び図６に示すように、後述する刈刃支持フレ−ム２１に連結して支持されており、左右一対の搬送ラグベルト２、２の搬送始端部分の下側にあって、茎稈の搬送通路４に臨ませて縦軸８に軸着し、搬送中の茎稈を刈取る構成としている。そして、上述した刈刃支持フレ−ム２１は、図面から解るように、前部を支持フレ−ム７に連結支持しており、その後部を、車輪支持フレ−ム２２に固着連結して構成している。そして、刈刃支持フレ−ム２１は、円盤刈刃９の上面にその刈刃９の回転下手側において、中心部から放射方向に向けて配置したスクレパ−２３と、前記円盤刈刃９とを取付けて支持した構成としている。そして、上記スクレパ−２３は、図５に示すように、円盤刈刃９の上面に載って回転してくる茎稈屑や雑草、或いは泥をこさげ取ってスクレパ−２３の方向に案内して後方の機外に排出する構成としている。
【００１５】
このような円盤刈刃９とスクレパ−２３とは、支持構成が側面視三角形状になっているから剛性が強くなり、安定よく支持されることになる。そして、スクレパ−２３は、図面（図５参照）から解るように、排出物を機体の後部側方へ案内するから円盤刈刃９への雑草の巻き付きを未然に防止し、刈刃９上に泥を溜めたり、未刈側に排出することがないから、汚粒の発生をなくすることができる特徴がある。
【００１６】
そして、円盤刈刃９は、図６に示すように、油圧モ−タ２４からスプロケット２５、チエン２６、スプロケット２７を経由して回転動力が縦軸８に伝動されて回転駆動される構成としている。なお、油圧モ−タ２４は、図示は省略しているが、油圧ポンプ（操縦座席の近傍に装備したギヤポンプ）の駆動に伴って循環される作動油により駆動される構成となっている。
【００１７】
つぎに、安全カバ−２８は、図５、及び図６に示すように、上記円盤刈刃９の外側において、刃縁の外周に沿わせて覆わせて設け、前、後両端部を前記刈刃支持フレ−ム２１に固着支持して構成している。
そして、ナロ−ガイド２９は、図面に示すように、前部を外側の分草支持杆３０に取り付けて、搬送ラグベルト２の外側に沿わせて側方に張り出しながら後方に延長して設け、中間部を車輪支持フレ−ム２２に支持した支持腕３１に支持して構成している。この場合、ナロ−ガイド２９は、側面視における傾斜角度が搬送ラグベルト２と略同程度にすることが理想であるが、実施例の場合、図６に示すように、上下２段の搬送ラグベルト２、２の間（側面視）にあって、外側の未刈茎稈が上下両方のラグベルト２、２に接触しないように配慮した構成としている。そして、ナロ−ガイド２９は、搬送ラグベルト２、２の終端部よりも後方まで延長しており、掻込みオ−ガ１２側に茎稈が侵入するのを防止できる構成としている。
【００１８】
このように、ナロ−ガイド２９は、側面視における傾斜角度を搬送ラグベルト１の傾斜角度と略同程度にすることによって、茎稈が搬送ラグベルト２、２の傾斜角度で分離、分草されて搬送されるから、分離性が向上し、ロスが減少する特徴がある。
【００１９】
そして、ゲ−ジホイル１０は、図面から解るように、搬送ラグベルト２、２の左側下方において、前記車輪支持フレ−ム２２に軸架して支持され、上部の調節ハンドル３２によって上下調節ができる構成としている。
以上のように構成されたロ−クロップ装置１１は、図４に示すように、入力軸３の軸カバ−１８の下側に取付部材１４が設けられ、各条ごとに取付ねじ３３で後述するテ−ブル１３の前部に着脱自由に取り付けできる構成としている。
【００２０】
つぎに、コンバインの車体３５側について説明する。
まず、脱穀装置３６は、図７に示すように、クロ−ラ３７、３７を有する車体３５上に搭載し、内部の具体的構成は図示しないが、従来から知られているように、扱胴を軸装した扱室３８を上側に設け、圧風唐箕や揺動選別棚を有する選別室３９を下側に配置して構成している。そして、脱穀装置３６は、従来から公知のように、稲、麦に限らず大豆、そば等の穀類の脱穀・選別作業ができるように構成され、扱室３８の前側にある供給口に全稈を投入する構成となっている。
【００２１】
そして、グレンタンク４０は、図７に示すように、上記脱穀装置３６に併設して車体３５上に搭載し、脱穀選別後の穀物を脱穀装置３６の一番移送螺旋からバケット式揚穀装置によって揚穀して供給し貯留する構成としている。そして、排出オ−ガ４１は、基部をグレンタンク４０に装備している揚穀装置に接続して設け、グレンタンク４０が満杯に達すると、内部に貯留している穀物を機外に搬出して、例えばグレンバックに取り出す構成としている。
【００２２】
そして、テ−ブル１３は、図１、乃至図３に示すように、車体３５の前方位置に横広く配置し、側部にあるエレベ−タ４２を内装した機枠４３によって後部の脱穀装置３６の供給口に接続して設け、下側から支えている油圧式の昇降シリンダ４４によって上下昇降自由に構成している。
【００２３】
そして、掻込みオ−ガ１２は、図面に示すように、上記テ−ブル１３上に横軸４５によって横向きに軸装し、前記エレベ−タ４２の前方位置には掻込み用のクランクフィンガ−４６を装備し、それより右側には搬送螺旋４７を巻き付けて設け、テ−ブル１３上に供給された茎稈を左側に送りエレベ−タ４２の搬送始端部にクランクフィンガ−４６で送り込むように構成している。
【００２４】
つぎに、ロ−クロップ装置１１は、図１、及び図７に示すように、後部をテ−ブル１３の前部に取付けねじ３３（図４参照）で締め付けて固定し、リ−ル支持杆４８の先端部に吊下げチエン４９によって吊り下げて取り付ける。この場合、本案実施例に係るロ−クロップ装置１１は、図２に示すように、２条を一度に取り付け取外しができるし、又図３に示すように、各条別々に取り付け取外しをすることができる。
【００２５】
そして、ロ−クロップ装置１１は、取り付けが終わると、入力軸３の端部にある入力スプロケット１６に車体側の入力チエンを巻き付けて伝動可能とし、調節ハンドル３２（図６参照）を操作して高さを調節し作業位置にセットする。
以上述べたように、本案に係る実施例のロ−クロップ装置１１は、汎用コンバインの前部低位置にあるテ−ブル１３の前部に、ロ−クロップ装置１１の後部下側にある取付部材１４を取付けねじ３３によって着脱自由に取り付けできるから、取外し作業が簡単にでき、メンテナンスを容易に行なうことができるものとなっている。そして、実施例の場合、ロ−クロップ装置１１は、入力軸３とこれに接続している伝動軸５、５とを一体にして取外し、コンバイン車体３５側に伝動チエンを残して分離できる点にも特徴があり、更に、ロ−クロップ装置１１が、比較的軽く着脱作業がやり易い利点もある。
【００２６】
このように、本案は、取り外すことによりロ−クロップ装置１１側と、併せてテ−ブル１３側の掻込みオ−ガ１２との両方のメンテナンスを比較的容易に行なうことができるものとなっている。
そして、本案に係るロ−クロップ装置１１は、複数条をテ−ブル１３の前部に横に配列して取り付けた構成において、図３に示すように、各条を別々に取外し可能に構成しているから、メンテナンスにあたり、全部を一度に取り外すことなく、メンテナンスの必要な条列を考慮しながら条ごとに着脱作業ができるものであって、着脱、及びメンテナンスを合わせた作業効率を一層高めることができるものとなっている。
【００２７】
別実施例１
つぎに、上述した明細書に添付した図７を参照しながら、図８、乃至図１０に基づいて別実施例１を説明する。
まず、別実施例１は、図７に示すように、エレベ−タ４２を内装した機枠（フィ−ダケ−ス）４３の中間部分の上部に、吸塵ファン５０とモ−タ５１とを取付支持枠５２に支持して構成した吸引排塵ボックス装置５３を、差し込み式によって着脱自由に構成したものである。
【００２８】
そして、吸引排塵ボックス装置５３は、図８、及び図９に示すように、箱型にして下側を開口して吸塵口として網５４を取り付け、その上側の取付支持枠５２には吸塵ファン５０とモ−タ５１とを取り付けて支持し、横（外側）に塵埃排出口５５を開口して構成している。上記網５４は、吸塵ファン５０側に穀粒や異物が吸引されて侵入しないように構成している。
【００２９】
そして、機枠（フィ−ダケ−ス）４３は、中間部分の上部に設けた取付用の開口５６に、上記吸引排塵ボックス装置５３を取り付けるにあたり、まず、下側（前側）に差込溝５７を横向きに開口し、上側にボルト５８を植付けて固定した構成としている。一方、吸引排塵ボックス装置５３は、下側にスライド板５９を設け、上側には固定ノブ６０を設けて構成している。
【００３０】
以上のように構成した吸引排塵ボックス装置５３は、図１０に示すように、スライド板５９の端を、下側の差込溝５７にあてがって内側に差し込みながら固定し、上側の固定ノブ６０をボルト５８にねじ込んで固定する。
以上述べたように、別実施例１は、エレベ−タ４２を内装した機枠（フィ−ダケ−ス）４３の中間部分の上部に、吸塵ファン５０とモ−タ５１とを取付支持枠５２に支持して構成した吸引排塵ボックス装置５３を、側部からスライドさせて簡単に着脱できるものとなっている。そして、吸引排塵ボックス装置５３は、作業中に、モ−タ５１によって吸塵ファン５０を駆動しながら下のエレベ−タ４２側から塵埃を吸塵して横の塵埃排出口５５から機外に排塵するが、その過程で、塵埃が通路にひっかったり、回転部分に巻き付いたりして清掃等のメンテナンスを必要とする。そのとき、別実施例１に係る吸引排塵ボックス装置５３は、上側の固定ノブ６０をボルト５８から外し、全体を外側に引出ながらスライド板５９を差込溝５７から引き出して、比較的簡単に取外しができるものとなっている。
【００３１】
このように別実施例１は、吸引排塵ボックス装置５３を機枠（フィ−ダケ−ス）４３から楽に取外しができるものであって、内部（吸引排塵ボックス装置５３と機枠４３）のメンテナンスを容易に行なうことができる特徴を有する。
【図面の簡単な説明】
【図１】本発明の実施例であって、取付け時の平面図である。
【図２】本発明の実施例であって、取外し時の平面図である。
【図３】本発明の実施例であって、一条を取り外した平面図である。
【図４】本発明の実施例であって、断面して示す正面図である。
【図５】本発明の実施例であって、平面図である。
【図６】本発明の実施例であって、側面図である。
【図７】本発明の実施例であって、汎用コンバインの側面図である。
【図８】本発明の別実施例１であって、平面図である。
【図９】本発明の別実施例１であって、切断側面図である。
【図１０】本発明の別実施例１であって、切断側面図である。
【符号の説明】
１、１　分草杆　　　　　２、２　搬送ラグベルト　３　　入力軸
４　　搬送通路　　　　　５、５　伝動軸　　　　　６、６　駆動プ−リ
７　　支持フレ−ム　　　８　　縦軸　　　　　　　９　　刈取装置
１０　ゲ−ジホイル　　　１１　ロ−クロップ装置　１２　掻込みオ−ガ
１３　テ−ブル　　　　　１４　取付部材。
【図１】
2004113064.tif 000003
【図２】
2004113064.tif 000004
【図３】
2004113064.tif 000005
【図４】
2004113064.tif 000006
【図５】
2004113064.tif 000007
【図６】
2004113064.tif 000008
【図７】
2004113064.tif 000009
【図８】
2004113064.tif 000010
【図９】
2004113064.tif 000011
【図１０】
2004113064.tif 000012